(57)【特許請求の範囲】
【請求項１】
両端に第１接合部及び第２接合部がそれぞれ設けられるＬＥＤランプであって、前記ＬＥＤランプの前記第１接合部が他の前記ＬＥＤランプの前記第２接合部に接続される複数本のＬＥＤランプと、
２本の前記ＬＥＤランプの間に設けられるとともに、接合済みの前記第１接合部と前記第２接合部に覆設される少なくとも１つのソケットチューブと、
前記ソケットチューブに接続される電源接続部材と、を含むことを特徴とする広告灯。
【請求項２】
前記ソケットチューブは、複数の持上げ孔が形成されている、請求項１に記載の広告灯。
【請求項３】
前記電源接続部材は、Ｇ１３の回転ソケット又は接続ケーブルであることを特徴とする請求項１に記載の広告灯。
【請求項４】
前記ソケットチューブは、前記ＬＥＤランプにそれぞれ設けられるとともに、前記電源接続部材が装着された前記第１接合部及び前記第２接合部に覆設されることを特徴とする請求項３に記載の広告灯。
【請求項５】
Ｒ１７Ｄの回転ソケットをさらに備え、前記Ｒ１７Ｄの回転ソケットが前記電源接続部材に接続されていることを特徴とする請求項２の記載の広告灯。
【請求項６】
前記第１接合部はプラグであることを特徴とする請求項１に記載の広告灯。
【請求項７】
前記第１接合部には、少なくとも１つの防水ゴムリングが設けられることを特徴とする請求項４に記載の広告灯。
【請求項８】
前記第２接合部はソケットであることを特徴とする請求項１に記載の広告灯。
【請求項９】
前記ＬＥＤランプは、アルミ押出成形ホルダ、前記アルミ押出成形ホルダに設けられる光源プレート、及び、前記アルミ押出成形ホルダの外側に覆設されるカバーを含み、前記光源プレートは少なくとも１つの発光部材を含み、前記発光部材は前記カバーに面することを特徴とする請求項１に記載の広告灯。
【請求項１０】
前記ＬＥＤランプは、片面発光又は両面発光であることを特徴とする請求項９に記載の広告灯。
【発明の詳細な説明】
【技術分野】
【０００１】
本発明は広告灯に関し、特に、複数本が並列に接続される広告灯に関する。
【背景技術】
【０００２】
一般的に、商店、夜市の露店、飲食店では、色とりどりに煌めく電灯を使用して鮮やかでロマンチックな雰囲気を演出し、集客を試みることが多い。そのため、市場には選択可能な様々なイルミネーションが出回っている。一方、この種の広告用照明の内部の照明管はサイズ規格が統一されており、連結したい場合には、連結媒体として接続ケーブルを別途使用する必要がある。ところが、広告や看板はサイズが一様でなく、照明管を特殊サイズに合わせて設置できないことも十分に起こり得る。その結果、内部の一部箇所に照明管が複数重なって明るさにムラができたり、照明の存在しない断面位置ができて照明不足が生じたりする。
【０００３】
従来の広告灯を開示する文献として特許文献１がある。特許文献１に開示の広告灯は、広告灯本体が樹脂製の型枠からなり、広告灯本体上面側は、カメラと光源をはじめとした電子基板からなり、電柱広告に固定するための取付け金具を設け、電柱広告に固定するよう構成されている。
【先行技術文献】
【特許文献】
【０００４】
【特許文献１】特開２００８−２８１９７１公報
【発明の概要】
【発明が解決しようとする課題】
【０００５】
特許文献１に開示の広告灯は、防犯対策のシステムとして有効であるが、照明器具に流れる電流の上限を定めることはできなかった。
【０００６】
そこで、上記の効果を満たす照明管を設計することが、当業者にとって早急に改善を要する課題となっている。
【０００７】
本発明は、上記の従来問題に鑑みてなされたものであり、その目的とするところは、入力上限を超えないように電流出力の上限を調整でき、かつ漏電を防止するとともに長寿命化できる漏電防止機能付き照明器具を提供することにある。
【課題を解決するための手段】
【０００８】
上記の課題に鑑みて、本発明の一実施例は、両端に第１接合部及び第２接合部がそれぞれ設けられるＬＥＤランプであって、ＬＥＤランプの第１接合部が他のＬＥＤランプの第２接合部に接続される複数本のＬＥＤランプと、２本のＬＥＤランプの間に設けられるとともに、接合済みの第１接合部と第２接合部に覆設される少なくとも１つのソケットチューブと、前記ソケットチューブに接続される電源接続部材とを含む広告灯を提供する。
【０００９】
上記広告灯の好ましい実施形態によれば、ソケットチューブは、複数の持上げ孔が形成されている。
【００１１】
上記広告灯の好ましい実施形態によれば、電源接続部材は、Ｇ１３の回転ソケット又は接続ケーブルである。
【００１２】
上記広告灯の好ましい実施形態によれば、ソケットチューブは、ＬＥＤランプにそれぞれ設けられるとともに、電源接続部材が装着された第１接合部及び第２接合部に覆設される。
【００１３】
上記広告灯の好ましい実施形態によれば、Ｒ１７Ｄの回転ソケットをさらに備え、前記Ｒ１７Ｄの回転ソケットが前記電源接続部材に接続されている。
【００１４】
上記広告灯の好ましい実施形態によれば、第１接合部はプラグである。
【００１５】
上記広告灯の好ましい実施形態によれば、第１接合部には少なくとも１つの防水ゴムリングが設けられる。
【００１６】
上記広告灯の好ましい実施形態によれば、前記第２接合部はソケットである。
【００１７】
上記広告灯の好ましい実施形態によれば、ＬＥＤランプは、アルミ押出成形ホルダ、アルミ押出成形ホルダに設けられる光源プレート、及び、アルミ押出成形ホルダの外側に覆設されるカバーを含み、光源プレートは少なくとも１つの発光部材を含み、少なくとも１つの発光部材はカバーに面する。
【００１８】
上記広告灯の好ましい実施形態によれば、ＬＥＤランプは片面発光又は両面発光である。
【発明の効果】
【００１９】
上述したように、本発明における一又は複数本の実施例に基づく広告灯には、次のような特色がある。即ち、複数本の並列接続が実現され、接続ケーブルを使用可能であるとともに、防水機能を備える。また、複数本を並列接続したあとにＲ１７Ｄの回転ソケットを組み合わせて使用することも可能である。よって、全体の組み立てを完了したＬＥＤランプは照明管の標準長さを満たすことができ、標準規格のランプホルダに取り付け可能となる。
【図面の簡単な説明】
【００２０】
【図１】本発明に基づく広告灯の外観を示す斜視図である。
【図２】本発明に基づく広告灯の分解斜視図である。
【図３】本発明に基づく２本のＬＥＤランプの接続構造を示す図である。
【図４】本発明に基づくＬＥＤランプを接続する電源接続部材の構造を示す図である。
【図５】本発明に基づくＬＥＤランプを接続する電源接続部材の他の構造を示す図である。
【発明を実施するための形態】
【００２１】
以下に、当業者が本発明の技術内容を理解して実施できるよう、実施形態のなかで本発明の詳細な特徴及び利点について詳述する。且つ、本明細書で開示する内容、請求項及び図面より、当業者は本創造にかかる目的及び利点を容易に理解可能である。
【００２２】
技術方案にかかる技術内容、構造の特徴、実現しようとする目的及び効果を詳細に説明すべく、以下に具体的実施例と図面を組み合わせて詳述する。
【００２３】
本発明に基づく広告灯の外観を示す斜視図、広告灯の分解斜視図及び２本のＬＥＤランプの接続構造を示す図である図１、図２及び図３を参照する。本発明にかかる広告灯は、複数本のＬＥＤランプ１及びソケットチューブ２を主に含む。各ＬＥＤランプ１の両端には、第１接合部１０及び第２接合部１２がそれぞれ設けられている。ＬＥＤランプ１の第１接合部１０は、他のＬＥＤランプ１の第２接合部１２に接続される。また、ソケットチューブ２は２本のＬＥＤランプ１の間に覆設されるとともに、接合済みの第１接合部１０（プラグ）及び第２接合部１２（ソケット）に覆設される。ＬＥＤランプ１は片面発光又は両面発光とし、且つ、レンズ付き及びレンズ無しの２種類の形式が考えられる。
【００２４】
上記ソケットチューブ２には、複数の持上げ孔２０が形成されており、チェーン６を持上げ孔２０に接続して、広告灯の方向を調整して容易に設置することができる。
【００２５】
また、電源接続部材４を更に含み、電源接続部材４は、ソケットチューブ２に接続され、電源接続部材４は、Ｇ１３の回転ソケット又は接続ケーブルとすればよい（図４及び図５を参照）。
【００２６】
さらにＲ１７Ｄの回転ソケットをさらに含み、このＲ１７Ｄの回転ソケットは電源接続部材４に接続されている。
【００２７】
上記の第１接合部１０（プラグ）には、少なくとも１つの防水ゴムリング１６が設けられている。防水ゴムリング１６はシリカ材質で形成してもよく、数量はこれに限定しない。
【００２８】
上記のＬＥＤランプ１は、アルミ押出成形ホルダ１３、アルミ押出成形ホルダ１３に設けられる光源プレート１４、及び、アルミ押出成形ホルダ１３の外側に覆設されるカバー１５を含む。光源プレート１４は、少なくとも１つの発光部材１４０を含む。また、少なくとも１つの発光部材１４０はカバー１５に面している。
【００２９】
また、上記のソケットチューブ２はＬＥＤランプ１にそれぞれ設けられるとともに、電源接続部材４が装着された第１接合部１０及び第２接合部１２に覆設される。
【００３０】
本発明に基づくＬＥＤランプを接続する電源接続部材の構造を示す図と、ＬＥＤランプを接続する電源接続部材の他の構造を示す図である図４及び図５を参照する。図４の実施例から明らかなように、２本の等しい長さのＬＥＤランプ１の場合を例示すると、組み立て時に、ソケットチューブ２を一方のＬＥＤランプ１のうち第２接合部１２（ソケット）に位置する部位に覆設したあと、もう一方のＬＥＤランプ１を第１接合部１０（プラグ）を利用して第２接合部１２（ソケット）に挿入する。このとき、ソケットチューブ２が２本のＬＥＤランプ１の間に設けられるとともに、互いに接続された第１接合部１０及び第２接合部１２を覆う。また、接続されていないその他のＬＥＤランプ１における第１接合部１０及び第２接合部１２にソケットチューブ１２をそれぞれ覆設されている。ソケットチューブ２は、複数の持上げ孔２０（図１参照）が形成されており、当該持上げ孔２０は、広告灯の照明方向を調整して容易に設置することができる。本実施例における電源接続部材４は、Ｇ１３の回転ソケットの一例としている。このようにすれば、複数本の並列接続を実現可能であるとともに、全体の長さが照明管の標準長さを満たすよう、接続ケーブルを組み合わせて使用することができる。
【００３１】
また、上記の各ＬＥＤランプ１は、第１接合部１０（プラグ）に少なくとも１つの防水ゴムリング１６が設けられており、防水ゴムリング１６をシリカ材質で形成してもよい。防水ゴムリング１６が設けられた第１接合部１０と第２接合部１２を接続すると、外部からの水気や水の滲入による電気短絡の恐れを防止可能となる。
【００３２】
図５の実施例から明らかなように、２本の異なる長さのＬＥＤランプ１の場合を例示すると、組み立て時に、ソケットチューブ２を一方のＬＥＤランプ１のうち第２接合部１２（ソケット）に位置する部位に覆設したあと、もう一方のＬＥＤランプ１を第１接合部１０（プラグ）を利用して第２接合部１２（ソケット）に挿入する。このとき、ソケットチューブ２が２本のＬＥＤランプ１の間に設けられるとともに、互いに接続された第１接合部１０及び第２接合部１２を覆う。また、接続されていないその他のＬＥＤランプ１における第１接合部１０及び第２接合部１２にソケットチューブ１２をそれぞれ覆設したあと、電源接続部材４を装着する。本実施例では、Ｒ１７Ｄの回転ソケットを電源接続部材４の一例としている。このように、長さの異なるＬＥＤランプ１に本発明の覆接技術を組み合わせることで、複数本の並列接続を実現可能なだけでなく、Ｒ１７Ｄの回転ソケットを組み合わせて使用可能となる。よって、全体の組み立てを完了したＬＥＤランプ１は照明管の標準長さを満たすことができ、標準規格のランプホルダに取り付け可能となり、ソケットチューブ２は、広告灯の照明方向を調整して設置することができる。本実施例において電源接続部材４は、一例として接続線を用いている。
【００３３】
またＲ１７Ｄの仕様が必要なコネクタに合わせて、Ｒ１７Ｄの回転ソケット５を電源接続部材４に追加で接続できるので、より多くの接続方法を選択することができる。
【００３４】
換言すれば、照明管の標準長さが１．８ｍの場合には、複数本のＬＥＤランプ１を各々の第１接合部１０及び第２接合部１２を利用して接合してから、最後にＲ１７Ｄの回転ソケットを両端にそれぞれ取り付ければよい。この場合、並列接続完了後の長さが１．８ｍの標準規格を満たす。また、２．４ｍの長さ規格に変更したい場合には、ＬＥＤランプ１を１組追加してから、最後にＲ１７Ｄの回転ソケットを同様に両端に取り付けるだけで、並列接続完了後の長さが２．４ｍの標準規格を満たす。
【００３５】
また、上記の各ＬＥＤランプ１は、第１接合部１０（プラグ）に少なくとも１つの防水ゴムリング１６が設けられており、防水ゴムリング１６をシリカ材質で形成してもよい。防水ゴムリング１６が設けられた第１接合部１０と第２接合部１２を接続すると、外部からの水気や水の滲入による電気短絡の恐れを防止可能となる。
【００３６】
なお、本文では上記各実施例について記載したが、本発明の保護の範囲はこれに限らない。従って、本文中の実施例について本発明の創造の理念に基づき実施される変更及び修正、或いは、本明細書及び図面の内容を用いて実施される等価の構造又は等価の工程の変更によって、直接的又は間接的に上記の技術方案が他の関連の技術分野に運用される場合、これらはいずれも本発明による保護の範囲に含まれる。
【符号の説明】
【００３７】
１      ＬＥＤランプ
１０    第１接合部
１２    第２接合部
１３    アルミ押出成形ホルダ
１４    光源プレート
１４０  発光部材
１５    カバー
１６    防水ゴムリング
２０    持上げ孔
２      ソケットチューブ
４      電源接続部材
５      Ｒ１７Ｄの回転ソケット
６      チェーン
【図１】
0006964849.tif 000002
【図２】
0006964849.tif 000003
【図３】
0006964849.tif 000004
【図４】
0006964849.tif 000005
【図５】
0006964849.tif 000006